(57)【要約】  【課題】  バケットの任意の角度においてバケットの開放口を蓋で閉鎖できるようにしたバケット装置を提供する。  【解決手段】  操作アームの先端にバケットのブラケットをバケットピンの圧入によってピン連結するとともに、バケットの開放口を蓋で閉鎖するようにしたバケット装置において、上記蓋（２０）の基部にはレバー（２３）の一端部が一体的に設けられ、該レバーは上記バケット（１０）のブラケット（１１）に回動自在に連結され、上記レバーの他端部にはアクチュエータ（３０）の駆動部分（３０Ａ）が連結され、上記アクチュエータの基部は上記バケットのブラケットに回動自在に連結されている。【選択図】  図２
2013024014.tif 000002
【特許請求の範囲】
【請求項１】
操作アームの先端にバケットのブラケットをバケットピンの圧入によってピン連結するとともに、バケットの開放口を蓋で閉鎖するようにしたバケット装置において、
上記蓋（２０）の基部にはレバー（２３）の一端部が一体的に設けられ、該レバー（２３）は上記バケット（１０）のブラケット（１１）に回動自在に連結され、上記レバー（２３）の他端部にはアクチュエータ（３０）の駆動部分（３０Ａ）が連結され、上記アクチュエータ（３０）の基部は上記バケット（１０）のブラケット（１１）に回動自在に連結されていることを特徴とするバケット装置。
【請求項２】
上記アクチュエータ（３０）の基部は、上記バケット（１０）のブラケット（１１）に対する操作アーム（４０）のピン連結の位置と上記バケット（１０）の本体部分との間に回動自在にピン連結されている請求項１記載のバケット装置。
【請求項３】
上記アクチュエータ（３０）がシリンダであり、駆動部分（３０Ａ）がピストンロッドである請求項１又は２記載のバケット装置。
【発明の詳細な説明】
【技術分野】
【０００１】
この発明はバケット装置に関し、例えば海岸や河川における浚渫工事に用いるのに適した油圧ショベル用のバケット装置に関する。
【背景技術】
【０００２】
最近、海岸や河川の浚渫工事では油圧ショベルを利用した工事が増加する傾向にある。油圧ショベルで浚渫工事を行う場合、操作アーム先端にバケットをピン連結するとともに蓋を設け、バケットの開放口を蓋で閉鎖して土砂や泥水などがバケットの開放口からこぼれるのを防止することが行われている（特許文献１、特許文献２、特許文献３）。
【先行技術文献】
【特許文献】
【０００３】
【特許文献１】特開２００５−３３０７９３号公報
【特許文献２】特開２００３−３３６２８０号公報
【特許文献３】特開２００９−１９４０５号公報
【発明の開示】
【発明が解決しようとする課題】
【０００４】
しかし、特許文献１記載のバケットでは蓋は操作アームの先端部に固定されているので、蓋で閉鎖できるバケットの角度が限定されてしまい、バケット作業の自由度が低い。
【０００５】
また、特許文献２、３記載のバケットでは蓋をシリンダ又は駆動ギアによって開閉できるようにしているものの、シリンダの基部及び蓋の基部あるいは駆動ギアが操作アームに取付けられているので、蓋を開閉できる角度が制限されてしまい、バケット作業の自由度が低い。
【０００６】
本発明はかかる問題点に鑑み、バケットの任意の角度においてバケットの開放口を蓋で閉鎖できるようにしたバケット装置を提供することを課題とする。
【課題を解決するための手段】
【０００７】
そこで、本発明に係るバケット装置は、操作アームの先端にバケットのブラケットをバケットピンの圧入によってピン連結するとともに、バケットの開放口を蓋で閉鎖するようにしたバケット装置において、上記蓋の基部にはレバーの一端部が一体的に設けられ、該レバーは上記バケットのブラケットに回動自在に連結され、上記レバーの他端部にはアクチュエータの駆動部分が連結され、上記アクチュエータの基部は上記バケットのブラケットに回動自在に連結されていることを特徴とする。
【０００８】
本発明の特徴の１つは蓋の基部とアクチュエータの基部をバケットのブラケットに取付けるようにした点にある。
【０００９】
これにより、蓋をバケットの開放口に対して任意に開閉動作させることができるので、バケットが操作アームに対してどのような角度であっても、蓋でバケットの開放口を閉鎖することができ、バケット作業の自由度を大幅に向上させることができる。
【００１０】
アクチュエータの基部はバケットのブラケットにピン連結されていればよいが、蓋開閉の自由度を向上させる上で、バケットのブラケットに対する操作アームのピン連結の位置とバケットの本体部分との間に回動自在に連結されるのが好ましい。
【００１１】
アクチュエータは蓋を開閉させることができればよく、例えば駆動モータとラック・ピニオンの組み合わせを採用することができるが、構造の簡単さ及び動作の高速性の観点からは、エアーシリンダや油圧シリンダを用いるのがよい。
【００１２】
本発明のバケット装置は油圧ショベルの操作アームにセットして用いると、その効果が大きいが、台船の操作アームの先端にセットして用いることもできる。
【図面の簡単な説明】
【００１３】
【図１】本発明に係るバケット装置の好ましい実施形態の全体構成を示す概略斜視図である。
【図２】上記実施形態を示す側面図である。
【図３】上記実施形態の操作アームへの取付け状態を示す図である。
【図４】上記バケット装置の動作の１例を示す図である。
【図５】上記バケット装置の動作の他の例を示す図である。
【図６】上記バケット装置の動作のさらに他の例を示す図である。
【発明を実施するための形態】
【００１４】
以下、本発明を図面に示す具体例に基づいて詳細に説明する。図１ないし図６は本発明に係るバケット装置の好ましい実施形態を示す。図において、バケット１０は前方面が開放され、開放口１０Ａの下縁には複数の掘削爪１０Ｂが相互に間隔をあけて取り付けられ、又バケット１０の上壁面には左右の取付けブラケット１１が相互に平行に配置され溶接等によってバケット１０の上壁面に固定され、左右の取付けブラケット１１の対向する位置には各々取付け穴が穿設されて２つのブッシュ１１Ａが取り付けられている。
【００１５】
他方、油圧ショベル等ではブームの先端に操作アーム４０が連結され、操作アーム４０には油圧シリンダ４１が併設されるとともに、操作アーム４０の先端部４０Ａには先端部４０Ａの左右両側面を挟んで左右のリンク機構４２の一方のリンク４２Ｂの先端が連結ピンによって連結されている。このリンク機構４２は各々一対のリンク４２Ａ、４２Ｂの端部を連結ピンによって相互に回転可能に連結して構成され、リンク４２Ａ、４２Ｂの中間の連結ビンには油圧シリンダ４１のピストンロッド４１Ａの先端が共連結されている。
【００１６】
バケット１０の左右の取付けブラケット１１の２つのブッシュ１１Ａのうちの一方には操作アーム４０の先端部４０Ａが差し込まれ、バケットピンが圧入されることによってピン連結され、他方のブッシュ１１Ａの間にはリンク機構４１の他方のリンク４２Ａの先端が差し込まれ、バケットピンが圧入されることによって連結されている。
【００１７】
また、取付けブラケット１１の先端部には取付け穴が対向して穿設され、取付け穴には取付けピン１５がバケット幅方向に圧入し、公知の方法、例えば取付けピン１５の外端部にＣ型リングを嵌め込むことによって抜け止めして取付けられ、取付けピン１５には左右一対のレバー２３の中間部位が回転自在に外嵌され、レバー２３の先端部は枢支ピン２２に固定され、枢支ピン２２は左右のブラケット２１によって蓋２０の基部に固定されており、こうしてレバー２３は蓋２０の基部に一体的に設けられ、レバー２３を取付けピン１５の回りに回動させることによって蓋２０をバケット１０の開放口１０Ａに対して開閉できるようになっている。
【００１８】
左右のレバー２３の他端部には挿通穴が対向して穿設されてジョイントピン２４が挿通され、ジョイントピン２４にはピストンロッド（駆動部分）３０Ａの先端部が外嵌されている。他方、バケット１０の取付けブラケット１１後端縁のブッシュ１１Ａとバケット１０の上壁面との間に位置する部位には挿通穴１２が対向して穿設され、挿通穴１２には取付けピン１３が挿入され、公知の方法、例えば取付けピン１３の外端部にＣ型リングを嵌め込むことによって抜け止めして取付けられ、取付けピン１３にはピストンロッド３０Ａの油圧シリンダ（アクチュエータ）３０の基部が回転可能に外嵌されている。
【００１９】
また、バケット１０の開放口１０Ａの下端縁には複数の掘削爪１０Ｂが取り付けられ、蓋２０の先端縁には複数の爪２０Ｂが掘削爪１０Ｂの間に位置するように取り付けられている。
【００２０】
バケット作業を行う場合、ブーム（図示せず）及び操作アーム４０を上下前後に揺動させることによってバケット１０を上下及び前後にスイングさせ、バケット１０で土砂や泥水をすくい、土砂や泥水を排出することができる。
【００２１】
今、図４に示されるように、バケット１０を操作アーム４０の延長線上に位置する姿勢に保ち、油圧シリンダ３０を作動させ、ピストンロッド３０Ａを伸長させると、蓋２０を図４の（ａ）に示される開いた状態から、図４の（ｂ）に示すように徐々に閉じさせ、図４の（ｃ）に示すようにバケット１０の開放口１０Ａを完全に閉鎖した状態とすることができる。
【００２２】
また、図５に示されるように、油圧シリンダ４１のピストンロッド４１Ａを少し収縮させ、バケット１０を操作アーム４０の延長線上よりも開いた姿勢に保ち、油圧シリンダ３０を作動させ、ピストンロッド３０Ａを伸長させると、蓋２０を図５の（ａ）に示される開いた状態から、図５の（ｂ）に示すように徐々に閉じさせ、図５の（ｃ）に示すようにバケット１０の開放口１０Ａを完全に閉鎖した状態とすることができる。
【００２３】
さらに、図６に示されるように、油圧シリンダ４１を作動させると、バケット１０を操作アーム４０に対して開いた姿勢から閉じた姿勢に動作させることができる。その際、バケット１０がどのような姿勢であっても、例えば図６の（ｃ）に示されるように、油圧シリンダ３０を作動させてピストンロッド３０Ａを伸長させると、蓋２０でバケット１０の開放口１０Ａを閉鎖することができる。
【００２４】
以上のように、蓋２０をバケット１０の開放口１０Ａに対して任意に開閉動作させることができるので、バケット１０が操作アーム４０に対してどのような角度であっても、蓋２０でバケット１０の開放口１０Ａを閉鎖することができ、バケット作業の自由度を大幅に向上させることができる。
【符号の説明】
【００２５】
１０      バケット
１０Ａ    開放口
１１      ブラケット
２０      蓋
２１      ブラケット
２２      枢支ピン
２３      レバー
３０      油圧シリンダ（アクチュエータ）
３０Ａ    ピストンロッド（駆動部分）
４０      操作アーム
４１      油圧シリンダ
【図１】
2013024014.tif 000003
【図２】
2013024014.tif 000004
【図３】
2013024014.tif 000005
【図４】
2013024014.tif 000006
【図５】
2013024014.tif 000007
【図６】
2013024014.tif 000008